(57)【要約】      （修正有）【課題】長靴本体の後部ふくらはぎ部を、上部の足挿入口より下部の踵部まで切欠き削除して、開口部空間を広く開放する事により通気性を促進し脱ぎ履きを容易にした作業用長靴を提供する。【解決手段】長靴本体１の後部ふくらはぎ部２を上部の足挿入口部３から下部の踵部４まで達する切欠き削除により広い空間部を有し、前記のふくらはぎ削除部２に紐帯８でもって左右を締結する。後部ふくらはぎ削除部２が下部の踵部の近傍に達しているが、前脛部５や足首部６には長靴本体の素材が被って堅持し、長靴が中折れすることなく立位し強度もあり脱ぎ履きに支障がなくなる。【選択図】図１
0003176544.tif 000002
【実用新案登録請求の範囲】
【請求項１】
合成ゴムを一体成形して成る作業用長靴であって、後部ふくらはぎ部が開口され、該部に紐帯でもって左右を締結したことを特徴とする作業用長靴。
【請求項２】
合成ゴムを一体成形して成る作業用長靴であって、後部ふくらはぎ部が開口され、該部の開口部分を被う被い蓋を着脱自在に締着するか、若しくは、ふくらはぎ部開口部分の左右縁部のいずれかと前記の被い蓋の右左側部のいずれかにヒンジ部を設けるとともに他側部でもって該被い蓋を締着することを特徴とする作業用長靴。
【考案の詳細な説明】
【技術分野】
【０００１】  本考案は、一般的長靴の後部ふくらはぎ部を上部から下部踵部まで切欠き削除した形態を成した長靴であって、ふくらはぎ部が無い事により、足挿入の上部の開口部分が拡大され、該開口が下部まで至る事により通気性及び脱ぎ履きを容易にしたことである。また、ふくらはぎ部削除部を補う被い蓋を備え、該被い蓋をふくらはぎ部削除部に締着固定する形態を有する長靴に関するものである。前記の被い蓋は、スリット又はメッシュなどの素材にて構成することができ、また、一個以上の通気孔、締結・留具等を備える事ができる。
【背景技術】
【０００２】  従来の長靴は上部足挿入口が小さくふくらはぎ部が長く足がつかえ、特に足に障害を持つ疾病者は長靴の脱ぎ履きに際して負担を余儀なく強いられている。手指に障害のある人は、靴を押さえなければ着装できず過負担は同様である。長靴の形状により健康な人や子供にも同様の負担が生じる場合がある。また、ふくらはぎ部が窮屈な構造の場合は、着履時に困難を極め着装後も通気性が乏しく悪臭の発生、皮膚病水虫の原因となり使用状況は劣悪であり改善が求められている。【０００３】  各種の作業用長靴が市販されているが、通気性足踏み式空気取り入れ靴［特許文献１］、脱ぎ履きし易い前開き式調整ベルト付長靴、［特許文献２］下駄に被いを被せ通気性を得た履物［特許文献３］などがある。
【特許文献１】特開２００４−１０５６７５
【特許文献２】特開２００９−０８２６１０
【特許文献３】特開平０７−２２２６０１
【考案の開示】
【考案が解決しようとする課題】
【０００４】  本長靴は通気性及び脱ぎ履きの容易性を重視した長靴であって、作業時の飛沫、水滴などを回避する最適の長靴を提供する。【０００５】  長靴本体の後部ふくらはぎ部を、上部の足挿入口より下部の踵部まで切欠き削除して、開口部空間を広く開放する事により通気性を促進し脱ぎ履きを容易にした作業用長靴を提供する。
【課題を解決するための手段】
【０００６】  本考案は、合成ゴムを一体成形して成る作業用長靴であって、後部ふくらはぎ部が開口され、該部に紐帯でもって左右を締結した事を特徴とする作業用長靴である。【０００７】  また、本考案は、合成ゴムを一体成形して成る作業用長靴であって、後部ふくらはぎ部が開口され、該部の開口部分を被う被い蓋を着脱自在に締着するか、若しくは、ふくらはぎ部開口部分の左・右縁部のいずれかと前記の被い蓋の右・左側部のいずれかにヒンジ部を設けるとともに前記被い蓋の他側部でもって該被い蓋を締着することを特徴とする作業用長靴である。【０００８】  前記の被い蓋は、スリット又はメッシュなどの素材にて構成することができ、また、一個以上の通気孔、締結・留具等を備える事ができる。締結・留具は、被い蓋を長靴本体に締着するためにふくらはぎ削除部の両側に複数個、また、それに対応して被い蓋の側端に付す。【０００９】  本考案は、上記の如く、後部ふくらはぎ部を上部の足挿入口より下部の踵部まで切欠き削除して開口部を拡大したことにより通気性が格段と良好となる。また、ふくらはぎ削除部を設定することにより広い開口空間を得て脱ぎ履きを容易にした。【００１０】  本考案は、削除による開口空間の左右を紐帯でもって締結した事により、歩行時及び作業時の脱足を阻止することが可能となる。【００１１】  本考案は、削除による開口空間を補う被い蓋を用いて締着する手段をもちいることができる。被い蓋は、ふくらはぎ削除部の左右両側、もしくは、片側のみに着脱自在に固定することも可能であるが、固定ではなく、締結・留具により左右どちら側にでも締着が可能である。よって左右の開閉が自在となり利用し易く使用者の負担が軽減される。【００１２】  本考案は、前記の被い蓋において通気性の素材を使用することができ、また、被い蓋に少なくとも一個以上の通気孔を設定することができる。また、被い蓋に少なくとも一個以上の締結・留具を設ける事と相俟って通気性の良好でかつ着脱、締着固定を簡単で容易にした作業用長靴を提供する。【００１３】  本考案は、長靴本体の後部ふくらはぎ部を切欠き削除した事により、足挿入口部を著しく増大させ、脱ぎ履きを容易にして利便性を最良にした作業用長靴である。【００１４】  長靴本体の後部ふくらはぎ削除部が下部の踵部の近傍に達しているが、前脛部や足首部には長靴本体の素材が被って堅持し、長靴が中折れすることなく立位し強度もあり脱ぎ履きに支障はなく良好な形態である。【００１５】  ふくらはぎ削除により開口空間が広くなり、例えば、変形した手足、通風、リューマチ等の疾病者でも長靴本体を押さえることなく容易に長靴の履き脱ぎが可能である。
【考案の効果】
【００１６】  本考案によれば、長靴の後部ふくらはぎ部の削除により、脱ぎ履きの容易、通気性の良好を図り、手足の疾病をもつ者、老若男女、幼児子供でも容易に脱ぎ履きすることを可能にする。【００１７】  本考案によれば、長靴において足挿入口を拡大にして通気性が良好となり水虫、臭気予防を可能にし、および、着脱開閉自在な被い蓋と簡単な締結・留具をもつて簡単、容易な締着固定を可能にする。【００１８】  本考案によれば、簡単で容易な脱ぎ履きによる使用者の負担軽減、及び介護者の煩わしさ、介助時間短縮など得るものが多く幅広い利用が期待される。
【考案を実施するための形態】
【００１９】  以下、本考案を実施するための形態を図面に基づいて説明する。
一の実施形態を図１に示す。図に示すように、長靴本体１．の後部ふくらはぎ部２．を上部の足挿入口部３．から下部の踵部４．まで達する切欠き削除により広い空間部を有し、前記のふくらはぎ削除部２．に紐帯８．でもって左右を締結したことを特徴とする作業用長靴。
【００２０】  図１の長靴において、後部ふくらはぎ削除部２．が下部の踵部の近傍に達しているが、前脛部５．や足首部６．には長靴本体の素材が被って堅持し、長靴が中折れすることなく立位し強度もあり脱ぎ履きに支障はなく良好な作業用長靴を提供する。
【００２１】  次にもう一の実施形態を図２に示す。図において被い蓋１０．は、前記の長靴の後部ふくらはぎ削除部２．の切欠きを補って形成されるカバー状部材であって、上部の足挿入口部３．から下部の踵部４．まで被って形成される。被い蓋８．は板状の素材や彎曲素材を用いて形成され、少なくとも１個以上の締結・留具１１．を付帯して形成することが望ましい。図２の長靴の被い蓋１０．において、素材はスリット、メッシュ状でも良いが、少なくとも１個以上の通気孔を設け（図示せず）構成することも可能であり適切で望ましい。
【００２２】  図２の長靴の被い蓋１０．は、何回にも及ぶ着脱行為がワンタッチで容易に行なえることが望ましく、容易に破損することのなく軽量の合成ゴム、金属、皮、面ファスナー等を用いてもよく、締結・留具１１．の手段、方法は特に限定せず、強度と機能を備えた素材で締着固定することが望ましい。
【００２３】  図２の長靴において、長靴本体１．に被い蓋１０．を設けるにあたって、図３、図４に示すように、締結・留具手段として、ふくらはぎ削除部２．の左側右側の一方をヒンジ機構１２．により連結しても良く、また、他方にはファスナー等を設け、本体と被い蓋の締着接合部を介して曲直させるようにして、頻繁な長靴の履き脱ぎに耐えられる強度を保つよう構成するべく、長靴本体１．と被い蓋１０．を同一の素材を用いて形成しても差し支えない。
【００２４】  従って、本考案の長靴においては、本来の長靴に見られる後部ふくらはぎ部２．の筒状の最上部から下部の踵部までを切欠き削除し形成することで、足首近傍まで広く開かれた状態となり、疾病者、傷害者、幼児、高齢者でも足の挿入や抜き出しの容易性が増し、このため、作業用長靴において極めて容易な着脱を可能にしている。
【００２５】  長靴本体の上部の足挿入口部３．が大きく開き開放されて通気性が良く、また、削除部２．を通気性被い蓋で被う事により歩行中でも足ずれが生ぜず軽快に支障なく歩行や作業が行える。
【００２６】  本考案の長靴は、ワンタッチで簡単着装でき、着装当該者、介助者ともに着脱時の煩わしさなど負担が大幅に軽減され、履き心地、取扱い易さなど抜群な形態を成す作業用長靴が提供される。
【００２７】  図１、図２、図３、図４、図５に示すごとく、締結・留具機構１１．は本体もしくは本体と被い蓋で一対以上を基本とし、上段、中段、下段部等に複数設けることも可能であり、複数装着の場合でも其々に離合着脱、又は複数同時に離合着脱も可能であることは言うまでもない。
【図面の簡単な説明】
【００２８】
【図１】本考案のふくらはぎ部を削除した長靴の状態図であって右足の内側からの斜視図である。
【図２】本考案の長靴本体及び被い蓋の状態を示す斜視図である。
【図３】本考案の被い蓋を長靴本体の外側に締着して開いた状態を示す右足の内側からの斜視図である。
【図４】本考案の被い蓋を長靴本体の内側に締着して開いた状態を示す右足の外側からの斜視図である。
【図５】本考案の長靴において被い蓋を左右両側部で締着して閉じた状態を示す平面図である。
【符号の説明】
【００２９】１．長靴本体
２．ふくらはぎ部（ふくらはぎ削除部）
３．足挿入口部
４．踵部
８．紐帯
１０．被い蓋
１１．締結・留具
１２．ヒンジ部
【図１】
0003176544.tif 000003
【図２】
0003176544.tif 000004
【図５】
0003176544.tif 000005
【図３】
0003176544.tif 000006
【図４】
0003176544.tif 000007